【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
患者の手術部位から無傷細胞を取り出す装置であって、前記装置は、
前記手術部位に挿入可能なプローブであって、
流体流を前記手術部位に提供して組織を断片化するように構成される、ノズルと、
前記手術部位から組織を受容するポートと、
前記手術部位から前記無傷細胞を含む断片化組織を受容するために前記ポートに連結される、フィルタと、
を備える、プローブを備える、装置。
【請求項２】
前記フィルタは、複数の細孔サイズを有する、複数の細孔を備え、前記複数の細孔サイズは、前記フィルタを用いて、前記無傷細胞を含む前記複数の断片を収集するために、前記無傷細胞の寸法より大きいサイズにされる、請求項１に記載の装置。
【請求項３】
前記ノズルは、前記ノズルから放出される前記流体流の直径に対応する内側制約直径を備え、前記ノズルは、前記内側制約直径より大きいサイズにされる寸法を有する複数の断片に前記組織を解離するように構成される、請求項１に記載の装置。
【請求項４】
前記ノズルおよび前記ポートは、スラリーを前記ポートに提供するように配列され、前記スラリーは、前記複数の断片と、前記流体流の流体とを含む、請求項１に記載の装置。
【請求項５】
ノズルは、液体ジェットのキャビテーションを用いて前記組織を断片化するように構成される、請求項３に記載の装置。
【請求項６】
ノズルは、液体に浸漬されたジェットを用いて複数の飛散パルスを生成するために、前記液体に前記液体ジェットを浸漬するために前記ポートと配列される、請求項４に記載の装置。
【請求項７】
前記ノズルおよび前記ポートは、前記患者内で閉鎖手術部位を提供するように配列される、請求項１に記載の装置。
【請求項８】
前記流体流を生成するように流体源から前記ノズルまで延在する、第１のチャネルと、前記ポートから前記フィルタに向かって延在する、第２のチャネルとをさらに備える、請求項１に記載の装置。
【請求項９】
前記第１の流体源は、前記第１のチャネルに接続される第１のポンプを備える、請求項７に記載の装置。
【請求項１０】
前記第２のチャネルに接続される第２のポンプをさらに備え、前記第１のポンプは、第１の流速を備え、前記第２のポンプは、第２の流速を備え、前記第１の流速は、組織断片を取り出すために前記第２の流速に類似し、前記第２の速度における流体は、前記流体流を用いて前記手術部位に注入される流体の前記第１の流速に類似する、請求項９に記載の装置。
【請求項１１】
流体リザーバと、前記第１の流速と第２の流速との間の差異に適応し、前記患者内の閉鎖手術部位の体積の変化を阻止するために、前記流体リザーバから前記手術部位まで延在する、チャネルとをさらに備える、請求項１０に記載の装置。
【請求項１２】
前記流体流は、液体もしくはガスのうちの１つまたはそれを上回るものを含む、請求項１に記載の装置。
【請求項１３】
前記流体流は、液体流を含み、前記液体流は、水もしくは生理食塩水のうちの１つまたはそれを上回るものを含む、請求項１に記載の装置。
【請求項１４】
前記細胞は、器官の腺組織の細胞を含む、請求項１に記載の装置。
【請求項１５】
患者から無傷細胞を採取する装置であって、
前記患者から組織のサンプルを除去する水ジェットと、
前記除去されたサンプルを輸送する吸引管を備える、カテーテルと、
前記サンプルを吸引するように前記吸引管に流体的に連結される、作動可能アセンブリと、
前記サンプルを収集するように前記吸引管に連結される、収集装置であって、前記収集装置は、フィルタ要素を備える、収集装置と、
を備え、前記サンプルは、無傷幹細胞を含む、
装置。
【請求項１６】
流速は、約１０ｍｌ／分〜約５００ｍｌ／分の範囲内であり、または前記流速は、約５０〜２５０ｍｌ／分の範囲内である、請求項１に記載の装置。
【請求項１７】
内部ノズル直径は、約５０ｕｍ〜２５０ｕｍの範囲内であり、または前記内部ノズル直径は、約１２０〜１５０ｕｍの範囲内である、請求項１に記載の装置。
【請求項１８】
前記プローブの伸長軸の周囲で回転する前記ノズルの角速度は、約１０度／秒〜２０００度／秒の範囲内であり、または前記ノズルの前記角速度は、約１８０〜９００度／秒の範囲内である、請求項１に記載の装置。
【請求項１９】
前記プローブの伸長軸に沿った前記ノズルの長手方向速度は、約０．０１ｍｍ／秒〜約５０ｍｍ／秒の範囲内、または約０．１ｍｍ／秒〜約５ｍｍ／秒の範囲内である、請求項１に記載の装置。
【請求項２０】
前記水ジェットを用いた処置の時間は、約０．１分〜約６０分の範囲内であり、または前記時間は、約１〜約１０分の範囲内である、請求項１に記載の装置。
【請求項２１】
前記伸長軸の周囲の前記プローブの回転処置角度は、約０〜３６０度の範囲内、または約３０〜３００度の範囲内である、請求項１に記載の装置。
【請求項２２】
前記処置の長手方向長は、約０．１ｍｍ〜約３００ｍｍの範囲内、または約１ｍｍ〜約７０ｍｍの範囲内である、請求項１に記載の装置。
【請求項２３】
前記手術部位から流体を引き出すポンプは、減圧ポンプもしくは流動ポンプのうちの１つまたはそれを上回るものを備える、請求項１に記載の装置。
【請求項２４】
前記装置は、複数の場所から断片化組織を収集する複数のフィルタを備え、前記複数のフィルタのそれぞれは、フィルタを用いて取得されるサンプルを処置場所にマッピングするために、処置の領域に対応する、請求項１に記載の装置。
【請求項２５】
フィルタをさらに備える、請求項１に記載の装置。
【手続補正２】
【補正対象書類名】明細書
【補正対象項目名】００１３
【補正方法】変更
【補正の内容】
【００１３】
本開示の原理が利用される、例証的実施形態を記載する以下の詳細な説明、および添付図面を参照することにより、本開示の特徴および利点のより良い理解が得られ得る。
本発明の実施形態において、例えば以下の項目が提供される。
（項目１）
患者の手術部位から無傷細胞を取り出す装置であって、前記装置は、
前記手術部位に挿入可能なプローブであって、
流体流を前記手術部位に提供して組織を断片化するように構成される、ノズルと、
前記手術部位から組織を受容するポートと、
前記手術部位から前記無傷細胞を含む断片化組織を受容するために前記ポートに連結される、フィルタと、
を備える、プローブを備える、装置。
（項目２）
前記フィルタは、複数の細孔サイズを有する、複数の細孔を備え、前記複数の細孔サイズは、前記フィルタを用いて、前記無傷細胞を含む前記複数の断片を収集するために、前記無傷細胞の寸法より大きいサイズにされる、項目１に記載の装置。
（項目３）
前記ノズルは、前記ノズルから放出される前記流体流の直径に対応する内側制約直径を備え、前記ノズルは、前記内側制約直径より大きいサイズにされる寸法を有する複数の断片に前記組織を解離するように構成される、項目１に記載の装置。
（項目４）
前記ノズルおよび前記ポートは、スラリーを前記ポートに提供するように配列され、前記スラリーは、前記複数の断片と、前記流体流の流体とを含む、項目１に記載の装置。
（項目５）
ノズルは、液体ジェットのキャビテーションを用いて前記組織を断片化するように構成される、項目３に記載の装置。
（項目６）
ノズルは、液体に浸漬されたジェットを用いて複数の飛散パルスを生成するために、前記液体に前記液体ジェットを浸漬するために前記ポートと配列される、項目４に記載の装置。
（項目７）
前記ノズルおよび前記ポートは、前記患者内で閉鎖手術部位を提供するように配列される、項目１に記載の装置。
（項目８）
前記流体流を生成するように流体源から前記ノズルまで延在する、第１のチャネルと、前記ポートから前記フィルタに向かって延在する、第２のチャネルとをさらに備える、項目１に記載の装置。
（項目９）
前記第１の流体源は、前記第１のチャネルに接続される第１のポンプを備える、項目７に記載の装置。
（項目１０）
前記第２のチャネルに接続される第２のポンプをさらに備え、前記第１のポンプは、第１の流速を備え、前記第２のポンプは、第２の流速を備え、前記第１の流速は、組織断片を取り出すために前記第２の流速に類似し、前記第２の速度における流体は、前記流体流を用いて前記手術部位に注入される流体の前記第１の流速に類似する、項目９に記載の装置。
（項目１１）
流体リザーバと、前記第１の流速と第２の流速との間の差異に適応し、前記患者内の閉鎖手術部位の体積の変化を阻止するために、前記流体リザーバから前記手術部位まで延在する、チャネルとをさらに備える、項目１０に記載の装置。
（項目１２）
前記流体流は、液体もしくはガスのうちの１つまたはそれを上回るものを含む、項目１に記載の装置。
（項目１３）
前記流体流は、液体流を含み、前記液体流は、水もしくは生理食塩水のうちの１つまたはそれを上回るものを含む、項目１に記載の装置。
（項目１４）
前記細胞は、器官の腺組織の細胞を含む、項目１に記載の装置。
（項目１５）
患者から無傷細胞を採取する装置であって、
前記患者から組織のサンプルを除去する水ジェットと、
前記除去されたサンプルを輸送する吸引管を備える、カテーテルと、
前記サンプルを吸引するように前記吸引管に流体的に連結される、作動可能アセンブリと、
前記サンプルを収集するように前記吸引管に連結される、収集装置であって、前記収集装置は、フィルタ要素を備える、収集装置と、
を備え、前記サンプルは、無傷幹細胞を含む、
装置。
（項目１６）
流速は、約１０ｍｌ／分〜約５００ｍｌ／分の範囲内であり、または前記流速は、約５０〜２５０ｍｌ／分の範囲内である、項目１に記載の装置。
（項目１７）
内部ノズル直径は、約５０ｕｍ〜２５０ｕｍの範囲内であり、または前記内部ノズル直径は、約１２０〜１５０ｕｍの範囲内である、項目１に記載の装置。
（項目１８）
前記プローブの伸長軸の周囲で回転する前記ノズルの角速度は、約１０度／秒〜２０００度／秒の範囲内であり、または前記ノズルの前記角速度は、約１８０〜９００度／秒の範囲内である、項目１に記載の装置。
（項目１９）
前記プローブの伸長軸に沿った前記ノズルの長手方向速度は、約０．０１ｍｍ／秒〜約５０ｍｍ／秒の範囲内、または約０．１ｍｍ／秒〜約５ｍｍ／秒の範囲内である、項目１に記載の装置。
（項目２０）
前記水ジェットを用いた処置の時間は、約０．１分〜約６０分の範囲内であり、または前記時間は、約１〜約１０分の範囲内である、項目１に記載の装置。
（項目２１）
前記伸長軸の周囲の前記プローブの回転処置角度は、約０〜３６０度の範囲内、または約３０〜３００度の範囲内である、項目１に記載の装置。
（項目２２）
前記処置の長手方向長は、約０．１ｍｍ〜約３００ｍｍの範囲内、または約１ｍｍ〜約７０ｍｍの範囲内である、項目１に記載の装置。
（項目２３）
前記手術部位から流体を引き出すポンプは、減圧ポンプもしくは流動ポンプのうちの１つまたはそれを上回るものを備える、項目１に記載の装置。
（項目２４）
前記装置は、複数の場所から断片化組織を収集する複数のフィルタを備え、前記複数のフィルタのそれぞれは、フィルタを用いて取得されるサンプルを処置場所にマッピングするために、処置の領域に対応する、項目１に記載の装置。
（項目２５）
フィルタをさらに備える、項目１に記載の装置。
（項目２６）
患者の手術部位から幹細胞を採取する方法であって、
排出管を伴うカテーテルを前記患者に挿入するステップと、
水ジェットを使用して、器官から組織を断片化するステップと、
前記排出管を通して前記断片化組織を引き出すステップと、
フィルタ要素を備える収集装置の中で前記断片化組織のサンプルを収集するステップと、を含む、方法。
（項目２７）
前記手術部位から組織の前記サンプルを取り出すステップは、前記項目のいずれか１項の１つまたはそれを上回るパラメータを含む、項目２６に記載の方法。
（項目２８）
組織をマッピングすることをさらに含む、項目２６に記載の方法。
（項目２９）
組織をマッピングするために収集装置を調節するステップをさらに含む、項目２８に記載の方法。
（項目３０）
前記方法はさらに、診断、すなわち、組織染色（組織学、ＩＨＣ）すること、細胞染色すること、および／または選別（ＩＣＣ、ＦＡＣＳ、免疫磁性選別）することのうちの１つまたはそれを上回るものと、マーカ、すなわち、細胞表面抗原、細胞内タンパク質、もしくは遺伝子とを含む、項目２６に記載の方法。
（項目３１）
前記方法はさらに、多能性幹細胞を採取することを含む、項目２６に記載の方法。
（項目３２）
方法であって、
前記項目のいずれか１項に記載の装置を提供するステップを含む、方法。